(57)【要約】【課題】吸収体の柔軟性を維持しながら、排泄された液を素早く吸収し拡散させることができ、かつ、湿気及び熱を放散し易い吸収性物品を提供すること。【解決手段】本発明の一実施形態である生理用ナプキン１は、肌当接面に液透過性の表面層２、非肌当接面側に防漏層４、表面層２と防漏層４の間に吸収層３を有する。吸収層３は、肌当接面側に溝６１を備える離間部６と、離間部６によって区画された離間部６よりも高坪量である小吸収部３２とを有している。小吸収部３２には、非肌当接側面に、肌当接面側へ向かう圧搾凹部８が形成されている。【選択図】図２
2014097241.tif 000002
【特許請求の範囲】
【請求項１】
肌当接面に液透過性の表面層、非肌当接面側に防漏層、前記表面層と防漏層の間に吸収層を有する吸収性物品であって、
該吸収層は、肌当接面側に溝を備える離間部と、該離間部によって区画された該離間部よりも高坪量である小吸収部とを有し、
前記小吸収部には、非肌当接側面に、肌当接面側へ向かう圧搾凹部を有する吸収性物品。
【請求項２】
前記圧搾凹部は、非肌当接面側からの平面視において、前記小吸収部の少なくとも一方向に延びている請求項1に記載の吸収性物品。
【請求項３】
前記吸収層は縦長形状であり、前記圧搾凹部は、非肌当接面側からの平面視で、前記吸収層の長手方向及びこれに直交する幅方向に延在する請求項２に記載の吸収性物品。
【請求項４】
前記圧搾凹部は、非肌当接面側からの平面視で、前記小吸収部の端部まで到達している請求項１〜３のいずれか１項に記載の吸収性物品。
【請求項５】
前記圧搾凹部は、非肌当接面側から肌当接面側に向かい、少なくとも一方向の幅が不連続に減少する請求項1〜４の何れか１項に記載の吸収性物品。
【請求項６】
前記圧搾凹部は、非肌当接面側から非肌当接面側に向かって、連続的に幅が減少する形状である請求項1〜４のいずれか1項に記載の吸収性物品。
【請求項７】
前記圧搾凹部は１つの小吸収部に複数個含まれている請求項1〜６のいずれか1項に記載の吸収性物品。
【請求項８】
前記圧搾凹部は非肌当接面側の平面視で、同心円の輪状である請求項７に記載の吸収性物品。
【請求項９】
平面視において、前記隙間部は前記吸収層の中央から周囲方向へ放射状に延びており、
前記圧搾凹部が複数の前記離間部と交差している請求項1に記載の吸収性物品。
【発明の詳細な説明】
【技術分野】
【０００１】
本発明は、生理用ナプキンや使い捨ておむつ、失禁パンツ等の吸収性物品に関する。
【背景技術】
【０００２】
生理用ナプキンや使い捨ておむつ等吸収性物品の吸収体は着用者の排泄ポイントを覆うように配置された、吸収材料が連続的に存在している略長方形状のものが一般的である。
これに対し、特許文献１及び２には、複数の吸収部が互いに離間して、基盤シートに固定部を介して接合され、該固定部は平面視において前記吸収部の領域に包含されており、前記複数の吸収部は、互いに液体連通化しうる状態に配列された吸収体が開示されている。これらの文献で用いられている技術により、一般的な吸収体より柔軟性に優れた吸収体を提供することができる。
【先行技術文献】
【特許文献】
【０００３】
【特許文献１】特開2010-268919号公報
【特許文献２】特開2010-273810号公報
【発明の概要】
【発明が解決しようとする課題】
【０００４】
しかしながら、特許文献１及び２記載の吸収体は、吸収体中の効率的な液の拡散と、裏面からの水分放散性・熱放散性に改善の余地があった。
【０００５】
本発明は、吸収体の柔軟性を維持しながら、排泄された液を素早く吸収し拡散させることができ、かつ、湿気及び熱を放散し易い吸収性物品を提供することを課題とする。
【課題を解決するための手段】
【０００６】
本発明は、肌当接面に液透過性の表面層、非肌当接面側に防漏層、前記表面層と防漏層の間に吸収層を有する吸収性物品であって、該吸収層は、肌当接面側に溝を備える離間部と、該離間部によって区画された該離間部よりも高坪量である小吸収部とを有し、前記小吸収部には、非肌当接側面に、肌当接面側へ向かう圧搾凹部を有する吸収性物品を提供するものである。
【発明の効果】
【０００７】
本発明の吸収性物品は、離間部の溝により液を素早く吸収することができ、小吸収部の内部にも疎密勾配が形成されるため、各小吸収部全体に体液が素早く移行、拡散が生じ易くなって、体液を広く全体の小吸収部へ固定化することができる。しかも、肌当接面側及び裏面側の両方から湿度を放散することができ、高い水分放散性・熱放散性を実現することができる。
【図面の簡単な説明】
【０００８】
【図１】図１は、本発明の吸収性物品の一実施形態としての生理用ナプキンを肌当接面方向から示した一部切欠斜視図である。
【図２】図２は、図１のＩ−Ｉ線断面図である。
【図３】図３は、図１に示す生理用ナプキンの有する１個の小吸収部を非肌当接面方向から視た平面図である。
【図４】図４（ａ）〜（ｃ）は他の実施形態の圧搾凹部の形状を説明するための平面図である（図３相当図）。
【図５】図５（ａ）〜（ｂ）は更に他の実施形態の圧搾凹部の形状を説明するための平面図であり（図３相当図）、図５（ｃ）は図５（ｂ）のＩＩ−ＩＩ線断面図である。
【図６】図６は、更にまた他の実施形態の圧搾凹部を説明するための断面図である。
【図７】図７（ａ）は他の実施形態の生理用ナプキンの備える吸収層を肌当接面方向から視た平面図であり、図７（ｂ）は該吸収層を非肌当接面方向から視た平面図である。
【図８】図８（ａ）は実施例６の生理用ナプキンの備える吸収層の圧搾凹部の形状を説明するための肌当接面方向から視た平面図であり、図８（ｂ）は図８（ａ）のＩＩＩ−ＩＩＩ線断面図である。
【図９】図９（ａ）は実施例９の生理用ナプキンの備える吸収層を肌当接面方向から視た平面図であり、図９（ｂ）は実施例９の生理用ナプキンの備える吸収層を非肌当接面方向から視た平面図である。
【発明を実施するための最良の形態】
【０００９】
本発明に係る吸収性物品の好ましい実施形態について、図面を参照して説明する。
図１は、本発明における吸収性物品の好ましい一実施形態としての生理用ナプキン（以下、「ナプキン」とも言う）を肌当接面方向から示した一部切欠斜視図である。
本実施形態のナプキン１は、図１に示すような縦長の形状をしており、肌当接面側に配置される液透過性シートの表面層２、非肌当接面側に配置される液難透過性の防漏層４、及び該両シートの間に配置され、体液を吸収保持する吸収層３を備えている。吸収層３は、その肌当接面側と非肌当接面側にコアラップ５を備えて吸収性本体３０となされている。表面層２及び防漏層４は、吸収層３の長手方向前後及び幅方向左右からそれぞれ外方へ延在し、重なり部分において接合されて一体化されている。また、左右方向外方部においては防漏層４が表面層２よりも長く、防漏層４の肌当接面側は撥水性のサイドシート９によって覆われている。本実施形態においては、サイドシート９の幅方向内側が表面層２と重なっているとともに、吸収層３の左右両側部においても重なっている。この構成によって、ナプキン１の幅方向中央寄りの領域は液体透過性であるが、幅方向左右外側領域では撥水性となって、吸収層３内に吸収された体液が幅方向左右に拡散された際にも、体液の滲み出しを抑制することができる。
【００１０】
なお、本明細書においては、着用者の肌と接触する面を肌当接面、これと反対側の面を非肌当接面といい、相対的に肌当接面に近い方を肌当接面側又は上方、遠い方を非肌当接面側又は下方と言う。また、長手方向における両端部方向を前後方向、幅方向における両端部方向を左右方向とも言う。
【００１１】
ナプキン１における吸収層３は、縦長形状をなしており、図１に示すように、その長手方向をナプキンの長手方向（Ｙ方向）に一致させ、ナプキン１の幅方向（Ｘ方向）の中央寄りに位置するよう、防漏層の肌当接面側に接着剤等で接合され配設されている。
【００１２】
ナプキン１の吸収層３は、図１に示すように、その肌当接面側に溝６１を備えた離間部６と、離間部６によって区分された離間部６よりも高坪量である複数の小吸収部３２，３２、．．．とを有している。一方、非肌当接面側は溝６１が及んでおらず、連続した連続層３１が形成されている。連続層３１と小吸収部３２とは、別個の構造体がホットメルトや熱シールなどによって接合されているものや、両者が物理的に連続した一体構造のものが挙げられる。本実施形態の吸収層３は一体積繊によって形成された一体構造体である。
【００１３】
溝６１について、図１及び図２を参照しながら、より具体的に説明すると、溝６１は、肌当接面側から非肌当接面側に向かって窪んだ凹部となっている。つまり溝６１は、吸収層３の構成材料が配されない空間部分となっている。なお、本発明において「吸収層」とは、体液を吸収保持するのに必要な材料を備えた層をいい、これを保形するためのコアラップ材などは含まない。空間部分である溝６１を含む離間部６によって区画された小吸収部３２は、相対的に肌当接面側に突出し、複数が独立して整列配置された、突出吸収部構造となっている。また、図２に示すように、吸収層３を厚み方向にみて、溝６１の非肌当接面側の底部は吸収層３の一部として凹部吸収部３３となっていて、溝６１と凹部吸収部３３によって離間部６を構成している。凹部吸収部３３は、溝６１の空間の分だけ小吸収部３２よりも厚みが薄く、非肌当接面側へと偏在しており、小吸収部３２よりも坪量が低くなっている。したがって、離間部６は小吸収部３２よりも坪量が低くなっている。この凹部吸収部３３と小吸収部３２とは、吸収層３の非肌当接面側で連続層３１によって一体となっている。
【００１４】
ナプキン１では、図１に示すように、溝６１が、ナプキン１の長手方向（Y方向）とこれに直交する幅方向（X方向）それぞれに連続的に延びていて、これらによって四方を囲まれたブロック状の吸収体部分である小吸収部３２が連続層３１と一体となって、肌当接面側に向かって凸の複数の小吸収部３２，３２．．．が、所謂格子状に配置された吸収層３が構成されている。つまり、長手方向に延びる溝６１及び幅方向に延びる溝６１は、平面視した際の吸収層３が存在する領域の前後端及び左右両端に達して配設されている。
【００１５】
なお本発明において、「連続」ないし「連続的」とは、本実施形態のように溝６１が直線的に連なる形状に限定されるものではなく、溝がなす空隙が途切れない種々の形態を含む。たとえば、小吸収部３２を千鳥状とする溝部６１の配置形態でもよく、小吸収部３２を亀甲状や扇型状となるよう、溝部６１を製品中心部から見て外側に向かって放射状に配置する形態であってもよい。また、溝の６１連なりの途中で幅が変化する形態であってもよく、また途中に調整弁のような小空間が配設される形態であってもよい。
【００１６】
ナプキン１では、図１に示すように、吸収層３が溝６１によって区画され、小吸収部３２が動きやすくなる。これにより外力対する可撓性を有する。これを配置したナプキンは、肌面の起伏にフィットする「身体適合性」、及び着用者の動きにも良好に追随して肌との部分的な隙間を生じ難くできる「動作追随性」が極めて高くなる。
【００１７】
吸収層３において、溝６１や小吸収部３２の大きさ、形状等は吸収性物品の大きさや使用目的に応じて異なるため一義的に定められない。吸収性物品がナプキンや軽失禁パッドの場合、小吸収部３２の大きさに関しては、０．２５ｃｍ2以上、特に０．５ｃｍ2であることが好ましく、２５ｃｍ2以下、特に２０ｃｍ2以下であることが好ましい。具体的には、０．２５ｃｍ2以上２５ｃｍ2以下が好ましく、特に０．５ｃｍ2以上２０ｃｍ2以下であることが好ましい。下限値以上であると、確実に圧搾により加圧できること、小吸収部３２内に適切な粗密勾配を設けることができるという観点から好ましく、上限値以下であると、効率よく湿気を排出するための必要な数の溝を確保することが容易になるという観点から好ましい。
【００１８】
溝６１の大きさに関しては、長手方向に延びる溝６１の幅（ｒ）は、０．２ｍｍ以上、特に０．５ｍｍ以上が好ましく、５ｍｍ以下、特に３ｍｍ以下が好ましい。前記下限以上とすることで、溝部が水路となり経血がここを流動し効率的に吸収体中に拡散することができるとともに、肌とナプキンの間に滞留した湿気を外気に逃がしやすくなる。上限以下とすることで溝を経血が一気に流れることによる漏れの発生を防止することに加え、小吸収部３２間の液体伝達の阻害を防止することが出来る。また、幅方向に延びる溝６１の幅（ｓ）は、０．２５ｍｍ以上、特に０．５ｍｍ以上が好ましく、５ｍｍ以下、特に３ｍｍ以下が好ましい。前記下限以上とすることで肌とナプキンの間に滞留した湿気を外気に逃がしやすくなり、上限以下とすることで溝６ｂを経血が一気に流れることによる漏れの発生を防止することが出来る。
【００１９】
また溝６１の深さの、吸収層３全体の厚みに対する割合は、２０％以上、特に３０％以上が好ましく、８０％以下、特に７０％以下が好ましい。前記下限以上とすることで肌とナプキンの間に滞留した湿気を外気に逃がしやすくなり、上限以下とすることで凹部吸収部により隣接する突出吸収部同士が繋ぎ合わされ、吸収層が着用者の動作により破断することを防止することが出来る。溝を経血が一気に流れることによる漏れの発生を防止することが出来る。具体的には、２０％以上８０％以下、特に３０％以上７０％以下が好ましい。なお、多層タイプの吸収層など、一部が他の部分よりも厚みが大きい部分を有する吸収層の場合には、厚みの大きい部分に溝が設けられていれば、当該部分の厚みに対する溝の深さが上記範囲であって、厚みの小さい部分に溝が設けられていれば、当該部分の厚みに対する溝の深さが上記範囲であれば良い。
【００２０】
本発明のナプキン１においては、図２に示すように、吸収層３の小吸収部３２には、非肌当接面側に、肌当接面側に向かう圧搾凹部８が設けられている。本実施形態のナプキン１では、吸収層３の非肌当接面側に配されたコアラップ５と共に圧搾された圧搾凹部８となされている。圧搾凹部８は各小吸収部３２に少なくとも１つ設けられている。本実施形態では、各ブロック状の小吸収部３２の内部に納まるように、各圧搾凹部８が設けられている。圧搾凹部８によって、小吸収部３２内には、圧搾凹部８の周囲部にはその外側の領域よりも密度が高い高密度領域が設けられている。すなわち、小吸収部３２内には、相対的に密度が高い高密度部と密度が低い低密度部が存在する。図２の形態においては、圧搾凹部８周囲および圧搾凹部８から厚み方向に関して肌当接面側の領域に高密度部が存在する。この密度勾配によって、吸収層３に吸収された体液は高密度部へと導かれやすくなる。高密度部の周囲には圧搾凹部８による空隙８１が存在している。このため、高密度部に集中的に集まった体液の一部が空隙から蒸気となって吸収体の非肌当接面側外部へ放出され易くなっている。加えて、小吸収部を区画している溝６１と高密度部とが、圧搾凹部８の存在によって近接する構造となっていることから、体液の一部が蒸気となって溝部６１へと導かれやすい構造となっている。このために、ナプキン１内の蒸気は一箇所に留まりにくく、しかも、非肌当接面側に集中しやすい構造となっているので、着用者とナプキン１との間に蒸気が残り難く、ムレ感を感じにくくなる。
【００２１】
このように本実施形態のナプキン１は、吸収した体液をナプキン１の非肌当接面側に素早く導いて、肌に近い側から体液を遠ざけることが出来るとともに、湿気の内部保湿と内部循環構造により、肌側への放湿を抑えて、肌との間の湿度低減を効果的に実現することができる。排泄液の多寡に係わらず、着用者に高いドライ感を与え、肌荒れ等を効果的に低減することができる。しかも、溝６１が長手方向と幅方向に交差しながら延びる構造によって、より内部循環が効率的に行われると、ムレ感抑制には有効である。また、小吸収部８の密度が離間部６の密度よりも高くなっていることによって、体液が吸収層３の肌当接面側から侵入した際に離間部６から小吸収部側へ移行、拡散し易くなるので、体液が表面に溜まり難く、着用者にドライ感を与えやすくなっている。
【００２２】
ナプキン１において圧搾凹部８は、非肌当接面側の平面視においては、図３に示すように、開口部が円形であり、厚み方向に関しては、図２に示すように、非肌当接面側から肌当接面側に向かって窄まる、すなわち面積が漸次小さくなる形状である。即ち、図３に示す圧搾凹部８は、非肌当接面側から非肌当接面側に向かって、連続的に幅が減少する形状である。より具体的には、図２に示すような、すり鉢状となっていることが好ましい。このような形状とすることにより、高密度領域中においても中心に向かって密度勾配が付与されることから、小吸収部３２内での低密度部から高密度部へ液が導かれ易くなる。
【００２３】
圧搾凹部８の開口部の形状としては、円形に代えて、非肌当接面側からの平面視において、小吸収部３２の少なくとも一方向に延びるように、楕円形、三角形、正方形、菱形、長方形、星型、十字形状など種々の形状を採用することができる。これらの中でも、楕円形状（図４（ａ））や十字形状（図４（ｂ），図４（ｃ））が圧搾凹部の空隙表面積が大きくできるとともに小吸収部の体積を十分に確保し易いことに加え、小吸収部内の密度勾配をより広範囲に形成させることができるので、蒸れ抑制と吸収性能の両立が実現し易い。更に具体的に説明すると、図４（ｂ）及び図４（ｃ）に示す十字形状の圧搾凹部８は、非肌当接面側からの平面視で、吸収層３の長手方向（Ｙ方向）及びこれに直交する幅方向（Ｘ方向）に延在している。更に図４（ｃ）に示す十字形状の圧搾凹部８は、非肌当接面側からの平面視で、小吸収部３２の端部（外周縁）まで到達している。
【００２４】
また、１つの小吸収部３２あたりに複数個の圧搾凹部８を含んでいても良い。例えば、図５（ａ）のように開口部が円形の圧搾凹部を並べるように配置する形態や、図５（ｂ），図５（ｃ）のように環状開口部形状の圧搾凹部を同心円上配置する形態、即ち、圧搾凹部８は、非肌当接面側の平面視で、同心円の輪状である。これにより、最外の環状開口部形状圧搾凹部でもけられた高密度部と溝部６１との距離を縮めることができ、液の移動に有利であることに加え、環状開口部の内側も、吸収性を有する低坪量部と高坪量部の密度勾配が存在することから、環状で開口部形状でないものと比べて全体的な吸収容量及び液拡散性が高まる。また、この形態では、最外の環状開口部形状圧搾凹部の高密度領域と、環状開口部の内側に存在する圧搾凹部による別の高密度領域とを比較した場合、内側の方がより高密度であることが、密度勾配の付与という観点で好ましい。
【００２５】
圧搾凹部８を平面視して、圧搾凹部８の開口部の面積は、小吸収部３２の非肌当接面側の平面面積に対して、１％以上、特に３％以上、更に１０％以上であることが好ましく、７０％以下、特に６０％以下、更には５０％以下であることが好ましい。具体的には、１％以上７０％以下、特に３％以上６０％以下、更に１０％以上５０％以下が好ましい。下限値以上であると、十分な導液性が得られやすいとともに、蒸気放出によるムレ感抑制が得られやすくなる。また、上限値以下であると、十分な液保持量を確保しつつ、吸収体が適度な柔らかさを保ち、着用者に違和感を与え難くなる。
【００２６】
圧搾凹部８の断面形状は、すり鉢様形状に代えて、種々の形状を採用することが可能である。たとえば図非肌当接面側から対して階段様に長手方向長さ又は幅方向長さが段階的に減少する形態（図６参照）が挙げられる。即ち、図６に示す圧搾凹部８は、非肌当接面側から肌当接面側に向かい、少なくとも一方向の幅が不連続に減少している。このようにすることによって、吸収層３の吸収容量を維持しながら、蒸気放出部としての開口面積を広げ、しかも、小吸収部３の肌面側面積が大きいので、着用者から受ける圧への抵抗力や表面層２から吸収層３への液の移行性が維持できる。
【００２７】
圧搾凹部８の厚み方向長さは、吸収層３全体の厚みの５０％以下、特に４０％以下であることが、体液の保持空間の確保の観点から好ましい。また、厚み方向に関して、図２に示すように、圧搾凹部８の上方端部は、該圧搾凹部８が小吸収部３２内にある場合には溝６１の下方端部の位置よりも上方であることが、溝６１を伝わった拡散した体液を小吸収部に速やかに取り込むことが容易となることと、非肌当接面側からの水分の蒸散を一層促進して、ムレを低減容易にする観点から好ましい。一方、圧搾凹部８が凹部吸収部３３の領域にまで存在する場合には、該圧搾凹部８の上方端部は溝部６の下方端部よりも下方に位置することが好ましい。
【００２８】
図２に示す圧搾凹部８は吸収層３に非肌当接面側に配されたコアラップ５と共に圧搾されて一体となるように設けられているが、圧搾凹部８は吸収層３のみに設けられていても良い。図２に示す圧搾凹部８のように、吸収層３にコアラップ５を圧搾して一体となったものとする場合には、コアラップ５としてなるべく坪量の低いシートを使用することが、蒸散を有効に進める点から好ましい。そのようなコアラップ５としては、坪量が２００ｇ／ｍ２以下の不織布やパルプシートが挙げられる。体液吸収性を有するパルプシート（吸収紙）であることが好ましい。
【００２９】
さらに本発明において、吸収層３の構造は、本実施形態の１層に限定されず、前記作用を奏する限り、２層以上にしてもよい。
【００３０】
吸収層３の構成材料としては、特に制限はないが繊維材料、多孔質体、それらの組み合わせなどを用いることができる。繊維素材としては例えば、木材パルプ、コットン、麻などの天然繊維、ポリエチレンやポリプロピレンなどのポリオフィレン系樹脂、ポリエチレンテレフタレート等のポリエステル系樹脂、ポリビニルアルコール樹脂等の合成樹脂からなる単繊維、これらの樹脂を２種以上含む複合繊維、アセテートやレーヨンなどの半合成繊維を用いることができる。合成繊維からなる繊維を用いる場合、該繊維は熱によって形状が変化する熱収縮繊維であってもよい。例えば、熱によって繊度は大きくなるが繊維長が短くなるものや、繊度はほとんど変化しないが、形状がコイル状に変化することでみかけの繊維の占有する長さが短くなるものであってもよい。多孔質体としては、スポンジ、不織布、高吸水性ポリマーの凝集物（高吸水性ポリマーと繊維とが凝集したもの）などを用いることができる。好ましい吸収層としては、パルプ繊維及び高吸収性ポリマーの混合積層体であって、これをコアラップ５としての吸収紙で被覆したものが特に好ましい。
【００３１】
表面層２としては、各種不織布（たとえば、エアスルー不織布やスパンボンド不織布など）を単独、または複数の重ね合わせた構成や、不織布とフィルムとのラミネートからなり多数の開孔が形成されている複合シート等が用いられる。また表面層は、前記の突起のある上層及び下層とからなるものや、起伏のある上層と平坦な下層との層からなるものであってもよい。この場合、表面シートに繊維の密度勾配ができ、表面シート１上の液を素早く吸収体側へ透過させることができるので好ましい。上層及び下層の部材として、カード法によって形成されたウェブや嵩高な不織布などの繊維同士が極めて緩く絡んでいる状態の繊維集合体を用いることができ、下層の部材としてカード法によって形成されたウェブや熱収縮性を有する不織布を用いることができる。
【００３２】
防漏層４は、透湿性フィルム単独、又はフィルムと不織布の貼り合わせ、撥水性の不織布（ＳＭＳやＳＭＭＳ等）を用いることができる。コスト面やズレ止め粘着剤とのマッチングなどから、透湿フィルム単独を防漏材として用いることが最も好ましい。この場合のフィルム材としては、熱可塑性樹脂と、これと相溶性のない無機フィラーを溶融混練して押し出したフィルムを所定の寸法に延伸して微細孔をあけたフィルム、または、本質的に水分の相溶性が高く、浸透膜のように水蒸気排出可能な無孔性のフィルムが挙げられる。本発明に関わる湿度排出の性能を十分に発現し、かつ、水分のにじみ出しがない防漏層を具現化するには、透湿度は、０．７〜３．０ｇ／ｍ２・２４ｈｒの範囲にあることが好ましく、１．０〜２．５ｇ／ｍ２・２４ｈｒの範囲にあることが更に好ましい。さらっと感を十分に高める観点からは１．５〜２．５ｇ／ｍ２・２４ｈｒにあることが最も好ましい。また、フィルムの破れ等のトラブルなく使用可能であるためには、フィルム坪量は１８〜７０ｇ／ｍ2、より好ましくは２５〜６０ｇ／ｍ2である。また好ましい無機フィラー配合量は、フィルム全体の質量に対するフィラーの質量％として３０〜６５質量％、より好ましくは４０〜６０質量％である。
【００３３】
なお、シート材の透湿性の測定は、ＪＩＳ Ｚ０２０８防湿包装材料の透湿試験方法に準じ、温度条件は３５℃として行った。具体的には、まず透湿カップ内に吸湿剤（塩化カルシウム）を入れ、この透湿カップの口に直径７０ｍｍに裁断した試験片をのせて、パッキン及びリングを蝶ナットで固定した後、透湿カップと試料の接合部をビニル粘着テープでシールして試験体とした。この試験体を３５±２℃、９０±５％ＲＨの恒温恒湿装置内に所定時間放置した。１時間後に試験体を取り出し、質量を測定し、測定後再び前記恒温恒湿装置内に置き、４時間後に取り出して質量を測定し、次式により、透湿度を、シート（１ｍ2当たり）を通過した水蒸気の質量（ｇ）として求めた。
透湿度（ｇ／ｍ２・２４ｈ）＝（２４０×ｍ）／（ｔ・ｓ）
ｓ：透湿面積（ｃｍ２）
ｔ：試験を行った最後の２つの秤量間隔の時間の合計（ｈ）
ｍ：試験を行った最後の２つの秤量間隔・増加質量の合計（ｍｇ）
【００３４】
本発明の吸収性物品は、上記の実施形態の生理用ナプキンに制限されるものではなく、例えば使い捨ておむつや尿とりパッド、失禁パッド、失禁ライナ等に適応することができる。また、経血に限らずその他、尿、おりもの、軟便等に対しても効果的である。また、表面層、吸収層、防漏層及びサイドシートの他にも用途や機能に合わせ適宜部材を組み込んでもよい。なお、上記実施形態の生理用ナプキンの表面層、吸収層及び防漏層の材料、製法における条件や、製品の寸法等は特に限定されず、通常の生理用ナプキン等において用いられている各種材料を用いることができる。
【００３５】
また、上記の実施形態の生理用ナプキン１においては、図１に示すように、溝６１が、ナプキンの長手方向（Ｙ方向）及び幅方向（Ｘ方向）それぞれに延びており、溝６１を含む離間部６もナプキンの長手方向（Ｙ方向）及び幅方向（Ｘ方向）それぞれに延びているが、例えば、図７（ａ）に示す吸収層３のように、吸収層３の平面視において、隙間部６（溝６１）が吸収層３の中央から周囲方向へ放射状に延びるように配してもよい。放射状に延びるように隙間部６（溝６１）を配した場合、圧搾凹部８は、図７（ｂ）に示すように、複数の離間部６（溝６１）と交差するように配すればよい。このように吸収層３の離間部６（溝６１）及び圧搾凹部８を配することによって、吸収層３の広い範囲で非肌当接面側からの水分蒸散を促進することが容易となり、ムレの一層の低減を促進できるとの効果を奏する。
【００３６】
上述した実施形態に関し、本発明は更に以下の吸収性物品を開示する。
＜１＞肌当接面に液透過性の表面層、非肌当接面側に防漏層、前記表面層と防漏層の間に吸収層を有する吸収性物品であって、該吸収層は、肌当接面側に隙間部と、これによって区画された該隙間部よりも高坪量である小吸収部とを有し、前記小吸収部には、非肌当接側面に、肌当接面側へ向かう圧搾凹部を有する吸収性物品。
【００３７】
＜２＞前記吸収層がその肌当接面側と非肌当接面側をコアラップで覆われており、前記圧搾
凹部が非肌当接面側のコアラップを含んで形成されている前記＜１＞に記載の吸収性物品。
＜３＞前記圧搾凹部は、非肌当接面側からの平面視において、前記吸収層の少なくとも一方向に延在している前記＜１＞又は＜２＞記載の吸収性物品。
＜４＞前記吸収層は縦長形状であり、前記圧搾凹部は、非肌当接面側からの平面視で、前記吸収層の長手方向及びこれに直交する幅方向に延在する前記＜３＞記載の吸収性物品。
【００３８】
＜５＞前記溝は吸収層の長手方向に沿って配される長手方向溝を含み、該長手方向溝の幅が０．２ｍｍ以上５ｍｍ以下である前記＜１＞〜＜４＞のいずれか１つに記載の吸収性物品。
＜６＞前記溝として、前記長手方向と直交する方向である幅方向に沿って前記吸収層を横断し
て延在する幅方向溝も備えるとともに、該幅方向溝は前記長手方向溝と交差している前記＜５
＞に記載の吸収性物品。
＜７＞前記幅方向溝の幅が０．２５ｍｍ以上５ｍｍ以下である前記＜６＞記載の吸収性物品。
＜８＞前記圧搾凹部は、非肌当接面側からの平面視で、前記小吸収部の端部まで到達していることを特徴とする前記＜１＞〜＜７＞のいずれか１つに記載の吸収性物品。
＜９＞前記圧搾凹部は、非肌当接面側から肌当接面側に向かい、少なくとも一方向の幅が不連続に減少する前記＜１＞〜＜８＞のいずれか１つに記載の吸収性物品。
＜１０＞前記圧搾凹部は、非肌当接面側から非肌当接面側に向かって、連続的に幅が減少する形状である前記＜１＞〜＜９＞に記載の吸収性物品。
【００３９】
＜１１＞前記圧搾凹部は１つの小吸収部に複数個含まれている前記＜１＞〜＜１０＞のいずれか１つに記載の吸収性物品。
＜１２＞前記圧搾凹部は非肌当接面側から平面視で、同心円の輪状である前記＜１１＞記載の吸収性物品。
＜１３＞平面視において、前記隙間部は前記吸収層の中央から周囲方向へ放射状に延びており、
前記圧搾凹部が複数の前記隙間部と交差している前記＜１＞に記載の吸収性物品。
＜１４＞前記防漏層が透湿性のフィルムである前記＜１＞〜＜１３＞いずれか１つに記載の
吸収性物品。
＜１５＞前記圧搾部は小吸収部の非肌側面の平面積に対して当り１％以上７０％以下の開口面積で設けられている前記＜１＞〜＜１４＞いずれか１つに記載の吸収性物品。
＜１６＞前記吸収性物品が生理用ナプキン又は失禁パッドである前記＜１＞〜＜１５＞のいずれか１つに記載の吸収性物品。
【実施例】
【００４０】
本発明について以下に実施例に基づいてさらに詳細に説明するが、本発明はこれにより限定して解釈されるものではない。
【００４１】
〔実施例１〕
花王株式会社の市販の生理用ナプキン（商品名「ロリエエフ 多い昼〜ふつうの日用」）から吸収体（本発明における吸収層と、コアラップを含む構造体）及び防漏層を構成するフィルムを取り除き、取り除いた吸収体と防漏層の各位置に後述の吸収層試験体及び防漏透湿フィルムを配置し、他を復元して、評価用の生理用ナプキンを得た。
【００４２】
防漏透湿フィルム
透湿度が２．０ｇ／ｍ２・２４ｈ、フィルム坪量が４０ｇ／ｍ２、無機フィラー配合量は、フィルム全体の質量に対するフィラーの質量％として５０質量％の透湿フィルムを使用した。
【００４３】
吸収体試験体
小吸収部３２（未圧搾状態）の坪量２４０ｇ／ｍ２、凹部吸収部３３の坪量１１２ｇ／ｍ２のパルプ繊維及び高吸水性ポリマーの積繊体を得た。この積繊体をコアラップ５としての吸収紙で被覆し、一対のプレスロール間に通して、３．０ｋｇｆ／ｃｍ２の圧力で圧縮し、得た吸収体を吸収体試験体の原型とした。小吸収部３２の密度は、０．１２ｇ／ｃｍ３であり、凹部吸収部３３の密度は、０．０８ｇ／ｃｍ３であった。領域３８の坪量は２４０ｇ／ｍ２であり、領域３９の坪量は１１２ｇ／ｍ２であった。また、凹部吸収部３３の厚みは１．４ｍｍであり、小吸収部３２の厚みは２．０ｍｍであった。 小吸収部のサイズは横幅Ｔ＝８ｍｍ、縦幅Ｓ＝１２ｍｍであった。
この吸収体試験体の原型に、小吸収部各々に対し、１個の圧搾凹部８を小吸収部の中央に、非肌当接面側の吸収紙の上から施した。圧搾凹部は図３に示す真円でその開口部大きさは直径１．５ｍｍであり、圧搾凹部における小吸収部の厚みは０．４ｍｍであり、密度は０．６０ｇ／ｃｍ3であった。
【００４４】
〔実施例２〕
実施例１の吸収体試験体に対し、圧搾凹部の形状を、非肌当接面側平面視で長手方向に延在する長径６ｍｍ、幅方向の短径１．５ｍｍの図４（ａ）に示す楕円に変更した以外は同様にして生理用ナプキンを作成した。
【００４５】
〔実施例３〕
実施例１の吸収体試験体を以下の点のみ変更して得た吸収体試験体を用いて生理用ナプキンを作成した。圧搾凹部の形状を、図４（ｂ）に示すように、非肌当接面側平面視で吸収性本体の長手方向と幅方向の両方に延在させた十字柄とし、各小吸収部に１つずつ配置した。なお、圧搾凹部は、その長手方向及び幅方向の延在長さを６ｍｍ、幅を１．５ｍｍとした。
【００４６】
〔実施例４〕
実施例１の吸収体試験体を以下の点のみ変更して得た吸収体試験体を用いて生理用ナプキンを作成した。圧搾凹部の形状として、図４（ｃ）に示すように、非肌当接面側平面視でその長手方向の延在長さを１２ｍｍ、幅方向の延在長さを８ｍｍとしそれぞれが小吸収部の端部に到達させた。
【００４７】
〔実施例５〕
実施例１の吸収体試験体を以下の点のみ変更して得た吸収体試験体を用いた生理用ナプキンを作成した。圧搾凹部の開口部での形状を直径３ｍｍとし、そこから肌当接面側に０．６ｍｍの深さまで同じ直径の円柱形状を維持し、それより０．４ｍｍの深さを直径１．５ｍｍの円柱形状となるように、図６に示すように、不連続に直径が変化する、断面視において階段形状をなす圧搾凹部形状とした。階段状とはある仮想軸においてエンボスが中央に向けて非連続的に深くなっていることを表す。本実施例では、圧搾凹部を非肌当接面側から平面視したときに、異なる半径の円柱状部分が同心円状に配置されている。
【００４８】
〔実施例６〕
実施例１の吸収体試験体に関して、図８（ａ），図８（ｂ）に示すように、凹部形状を断面視ですり鉢状に変更した以外は同様にして生理用ナプキンを得た。すり鉢状とは、エンボス内におけるエンボス深さが、ある仮想軸において中央に向けて連続的に深くなっていることを表す。本実施例は、圧搾凹部の開口部形状が真円で、エンボス内における同一深さの部分が平面視において開口部と同心円になっており、エンボス凹部形状が円錘状になっているものである。開口部での直径が３ｍｍであり、そこから徐々に直径が小さくなり、最も深い位置での直径は１．５ｍｍであって、そこでの小吸収体厚みは０．４ｍｍであった。
【００４９】
〔実施例７〕
実施例１の吸収体試験体に関して、圧搾凹部の個数を、小吸収部１つに対し、図５（ａ）に示すように、４個設けた点のみ変更した以外は同様にして、生理用ナプキンを作成した。なお、圧搾凹部はすべて、小吸収部の中央領域に施した。圧搾凹部の大きさは直径１ｍｍであり、圧搾凹部における小吸収部の厚みは０．４ｍｍであった。長手方向に２個、幅方向に２個ずつ並列で並べた。長手方向における圧搾凹部の中心から他方圧搾凹部の中心までの距離で４ｍｍ、幅方向における圧搾凹部の中心から他方圧搾凹部の中心までの距離を２ｍｍとした。
【００５０】
〔実施例８〕
実施例１の吸収体試験体に対し、圧搾凹部の形状を、図５（ｂ），図５（ｃ）に示すように、非肌当接面側平面視で２つの同心円の輪状に変更を行った以外は同様にして整理用ナプキンを作成した。線幅１ｍｍである外縁の直径が３ｍｍ（即ち内縁の直径が１ｍｍ）の輪状形状と、線幅１ｍｍである外縁の直径が７ｍｍ（即ち内縁の直径が５ｍｍ）の輪状形状を同心円に配置させ、当該中心を小吸収部の中央とした。
【００５１】
〔実施例９〕
実施例１の吸収体試験体に代えて、図９のような隙間部とエンボス形状とした以外は、同様にして生理用ナプキンを得た。なお、具体的な寸法は図９に示すとおりである。
【００５２】
〔比較例１〕
吸収体として、特許文献１の実施例に記載の吸収体試験体を用いた以外は実施例１と同様にして生理用ナプキンを作成した。
【００５３】
〔比較例２〕
吸収体として、特許文献２の実施例１に記載の吸収体試験体を用いた以外は実施例１と同様にして生理用ナプキンを作成した。
【００５４】
〔性能評価〕
＜吸収性の試験方法＞
実施例１〜９、比較例１および２で作成したナプキンを水平に置き、底部に直径１ｃｍの注入口がついた円筒つきアクリル板を重ねて、注入口から脱繊維馬血(日本バイオテスト（株）製)５ｇを注入し、注入後１分間その状態を保持した。次に、円筒つきアクリル板を取り除き、表面シートの表面上に、縦６ｃｍ×横９．５ｃｍで坪量１３ｇ／ｍ２の吸収紙（市販のティッシュペーパー）を１６枚重ねて載せた。更にその上に圧力が４．０×１０２Ｐａになるように重りを載せて５秒間加圧した。加圧後、吸収紙を取り出し、加圧前後の紙の重さを測定して、吸収紙に吸収された脱繊維馬血の重量を測定して表面液残り量とした。
表面液残り量１００ｍｇ以上をＣ、７５ｍｇ以上１００ｍｇ未満をＢ、５０ｍｇ以上７５ｍｇ未満をＡ、５０ｍｇ未満をＡ＋とした。
【００５５】
＜拡散性の試験方法＞
吸収性の試験方法が終了した後の吸収層の肌当接面側の拡散面積を測定した。測定には、各種カメラ（撮影データが電子化されるものが好ましい）によって、前述の試験が終了した直後の拡散状態を記録し、その拡散の輪郭をマーキングし、マーキングした輪郭から画像解析装置（ＮＥＸＵＳ製：ＮＥＷ ＱＵＢＥ Ｖｅｒ．４．２０）を使用してそれらの拡散面積を求めた。２５ｃｍ2未満をＣ、２５ｃｍ2以上３０ｃｍ2未満をＢ、３０〜２５ｃｍ2未満をＡ、３５ｃｍ2以上をＡ＋とした。
【００５６】
＜放湿性の試験方法＞
吸収性の試験方法が終了した後のナプキンを、３０℃、６５％ＲＨの環境下に表面材側をアクリル板に接する形で置き、８時間放置したときの製品の重量変化を測定し、その量の比較例1との比をとり、１以上１．０５未満をＣ、１．０５以上１．１０未満をＢ、１．１０以上１．２０未満をＡ、１．２０以上をＡ＋とした。
【００５７】
【表１】
2014097241.tif 000003
【００５８】
表１に示す結果から明らかなように、実施例１〜９の生理用ナプキンは、吸収性、拡散性及び放湿性の何れの観点においても、比較例１〜２の生理用ナプキンに比べて、優れていることがわかった。
【符号の説明】
【００５９】
１  生理用ナプキン（吸収性物品）
２  表面層
３  吸収層
３０  吸収性本体
３１  連続層
３２  小吸収部
３３  凹部吸収部
４  防漏層
５  コアラップシート
６  離間部
６１  溝
８  圧搾凹部
８１  空隙
９  サイドシート
【図１】
2014097241.tif 000004
【図２】
2014097241.tif 000005
【図３】
2014097241.tif 000006
【図４】
2014097241.tif 000007
【図５】
2014097241.tif 000008
【図６】
2014097241.tif 000009
【図７】
2014097241.tif 000010
【図８】
2014097241.tif 000011
【図９】
2014097241.tif 000012